(57)【要約】【課題】磁力線の作用によって筋肉組織の血行を改善し、筋肉組織の緊張をといてこりをほぐすとともに、肌に対して温熱効果を発揮し、使用者の肌を温めることができる磁気治療器を提供する。【解決手段】磁気治療器１０は、使用者の肌面に貼付する貼着シート１１と、使用者の体温によって温められて肌面に遠赤外線を放射する遠赤外線放射材１２と、放射材１２の中央部に固定されて肌面に磁力線を発する永久磁石１３とから形成されている。遠赤外線放射材１２は、貼着シート１１の貼着面１４に貼付された固定面１５と使用者の肌面に当接する当接面１６とそれら面１５，１６の間に延びる周面１７とを有する。永久磁石１３は、遠赤外線放射材１２の当接面１６から固定面１５に向かって放射材１２の内部に埋め込まれた固定部１８と放射材１２の当接面１６から露出する露出部１９とを有する。【選択図】図１
0003178605.tif 000002
【実用新案登録請求の範囲】
【請求項１】
貼着シートを利用して使用者の肌面に着脱可能に貼付する磁気治療器において、
前記磁気治療器が、堆積鉱物を微粉砕した微細な鉱物粉体を焼結して作られ、前記使用者の体温によって温められて前記肌面に遠赤外線を放射する遠赤外線放射材と、前記遠赤外線放射材の中央部に固定され、前記肌面に磁力線を発する少なくとも１つの永久磁石とを含み、前記遠赤外線放射材が、前記貼着シートの貼着面に貼付された平面形状が略円形の固定面と、前記使用者の肌面に当接する平面形状が略円形の当接面と、前記固定面および前記当接面の間に延びる周面とを有し、前記永久磁石が、前記遠赤外線放射材の当接面から固定面に向かって該遠赤外線放射材の内部に埋め込まれた固定部と、前記遠赤外線放射材の当接面から露出する露出部とを有することを特徴とする磁気治療器。
【請求項２】
前記遠赤外線放射材の当接面が、該当接面の中心に向かうとともにその外側へ向かって凸となるように所定の曲率半径で湾曲し、前記永久磁石の露出部の端面が、該露出部の端面の中心に向かうとともにその外側へ向かって凸となるように所定の曲率半径で湾曲し、前記磁気治療器では、前記遠赤外線放射材の当接面の曲率半径と前記永久磁石の露出部の端面の曲率半径とが同一である請求項１に記載の磁気治療器。
【請求項３】
前記遠赤外線放射材が、所定のバインダーを加えて前記鉱物粉体を造粒加工して成形した後、該鉱物粉体を焼結して作られた多孔質のセラミック成形物であって所定の厚みを有する略円盤状に成形され、前記遠赤外線放射材の赤外線放射率が、７〜１４μｍの波長範囲において９８％以上である請求項１または請求項２に記載の磁気治療器。
【請求項４】
前記永久磁石が、略円柱状に成形され、前記永久磁石の露出部が、Ｎ極であり、前記永久磁石の露出部から発生する磁力線の磁束密度が、４０〜８０ミリテスラの範囲にある請求項１ないし請求項３いずれかに記載の磁気治療器。
【考案の詳細な説明】
【技術分野】
【０００１】
本考案は、貼着シートを利用して使用者の肌面に着脱可能に貼付する磁気治療器に関する。
【背景技術】
【０００２】
薄い通気性を有する透明かつ円形の基層と、その基層の下面に設けられて肌への刺激が少ない材料からなる下部粘着剤層と、その下部粘着剤層の上に設けられた粒状磁石体および下部剥離シートと、基層の上面に上部粘着剤層を介して設けられた円形の上部剥離紙とを備え、波状の切れ目が上部剥離紙に形成された磁気治療器が開示されている（特許文献１参照）。
【先行技術文献】
【特許文献】
【０００３】
【特許文献１】特開２００５−２９６４５５号公報
【考案の概要】
【考案が解決しようとする課題】
【０００４】
前記特許文献１に開示の磁気治療器は、下部粘着層を介して基層を使用者の肌面に貼着することで、粒状磁石体の端面が使用者の肌面に当接する。この磁気治療器は、それを形成する粒状磁石体から使用者の肌面に磁力線が発せられ、その磁力線の作用によって筋肉組織の血行を改善し、筋肉組織の緊張をといてこりをほぐす。しかし、この磁気治療器は、それが使用者の肌に遠赤外線を放射することはなく、使用者の肌に対して温熱効果を発揮することはなく、使用者の肌を温めることができない。
【０００５】
本考案の目的は、磁力線の作用によって筋肉組織の血行を改善し、筋肉組織の緊張をといてこりをほぐすとともに疲労を低減する他、肌に対して温熱効果を発揮し、使用者の肌を温めることができる磁気治療器を提供することにある。
【課題を解決するための手段】
【０００６】
前記課題を解決するための本考案の前提は、貼着シートを利用して使用者の肌面に着脱可能に貼付する磁気治療器である。
【０００７】
前記前提における本考案の特徴は、磁気治療器が、堆積鉱物を微粉砕した微細な鉱物粉体を焼結して作られ、使用者の体温によって温められて肌面に遠赤外線を放射する遠赤外線放射材と、遠赤外線放射材の中央部に固定され、肌面に磁力線を発する少なくとも１つの永久磁石とを含み、遠赤外線放射材が、貼着シートの貼着面に貼付された平面形状が略円形の固定面と、使用者の肌面に当接する平面形状が略円形の当接面と、固定面および当接面の間に延びる周面とを有し、永久磁石が、遠赤外線放射材の当接面から固定面に向かって遠赤外線放射材の内部に埋め込まれた固定部と、遠赤外線放射材の当接面から露出する露出部とを有することにある。
【０００８】
本考案にかかる磁気治療器の一例としては、遠赤外線放射材の当接面が当接面の中心に向かうとともにその外側へ向かって凸となるように所定の曲率半径を有して湾曲し、永久磁石の露出部の端面が露出部の端面の中心に向かうとともにその外側へ向かって凸となるように所定の曲率半径を有して湾曲し、磁気治療器では、遠赤外線放射材の当接面の曲率半径と永久磁石の露出部の端面の曲率半径とが同一である。
【０００９】
本考案にかかる磁気治療器の他の一例としては、遠赤外線放射材が所定のバインダーを加えて鉱物粉体を造粒加工して成形した後、その鉱物粉体を焼結して作られた多孔質のセラミック成形物であって所定の厚みを有する略円盤状に成形され、遠赤外線放射材の赤外線放射率が７〜１４μｍの波長範囲において９８％以上である。
【００１０】
本考案にかかる磁気治療器の他の一例としては、永久磁石が略円柱状に成形され、永久磁石の露出部がＮ極であり、永久磁石の露出部から発生する磁力線の磁束密度が４０〜８０ミリテスラの範囲にある。
【考案の効果】
【００１１】
本考案にかかる磁気治療器によれば、使用者の肌面に遠赤外線を放射する遠赤外線放射材と使用者の肌面に磁力線を発する永久磁石とを含み、永久磁石から発せられた磁力線の作用によって使用者の筋肉組織の血行を改善し、筋肉組織の緊張をといてこりをほぐす他、遠赤外線放射材が使用者の体温によって温められた後に蓄えた熱を遠赤外線として使用者の肌面に放射するから、遠赤外線が肌に対する温熱効果を発揮し、遠赤外線によって使用者の肌を温めることができる。この磁気治療器は、永久磁石の露出部が遠赤外線放射材の当接面から露出し、露出部から使用者の肌面に磁力線が確実に発せられ、その磁力線によって使用者の筋肉組織の血行が改善され、筋肉組織の緊張をといてこりをほぐすとともに疲労を低減するから、患部（つぼ）にそれを貼着することによって患部のこりや疲労を治癒させることができる。
【００１２】
遠赤外線放射材の当接面がその中心に向かうとともにその外側へ向かって凸となるように所定の曲率半径を有して湾曲し、永久磁石の露出部の端面がその中心に向かうとともにその外側へ向かって凸となるように所定の曲率半径を有して湾曲し、遠赤外線放射材の当接面の曲率半径と永久磁石の露出部の端面の曲率半径とが同一である磁気治療器は、それを使用者の肌面に貼着したときに、遠赤外線放射材の当接面と永久磁石の露出部の端面とが使用者の患部（つぼ）に対する指圧効果を発揮し、その指圧効果によって使用者の筋肉組織の血行を改善することができ、筋肉組織の緊張をといてこりをほぐすとともに疲労を低減することができる。
【００１３】
遠赤外線放射材が所定のバインダーを加えて鉱物粉体を造粒加工して成形した後、その鉱物粉体を焼結して作られた多孔質のセラミック成形物であって所定の厚みを有する略円盤状に成形され、遠赤外線放射材の赤外線放射率が７〜１４μｍの波長範囲において９８％以上である磁気治療器は、遠赤外線放射材の赤外線放射率が前記範囲にあり、人体の平均体温の波長と同一の波長域において高い赤外線放射率を有するから、その遠赤外線が肌に対する温熱効果を確実に発揮し、遠赤外線によって使用者の肌を温めることができる。
【００１４】
永久磁石が略円柱状に成形され、永久磁石の露出部がＮ極であり、永久磁石の露出部から発生する磁力線の磁束密度が４０〜８０ミリテスラの範囲にある磁気治療器は、永久磁石の露出部から前記磁束密度の磁力線が発せられるから、その磁力線によって使用者の筋肉組織の血行が改善され、筋肉組織の緊張をといてこりをほぐすとともに疲労を低減し、患部（つぼ）にそれを貼着することによって患部のこりや疲労を治癒させることができる。
【図面の簡単な説明】
【００１５】
【図１】一例を示す磁気治療器の上面図。
【図２】磁気治療器の側面図。
【図３】図１の３−３線端面図。
【図４】使用状態で示す磁気治療器の斜視図。
【図５】図４の５−５線端面図。
【考案を実施するための形態】
【００１６】
一例を示す磁気治療器１０の上面図である図１等の添付の図面を参照し、本考案に係る磁気治療器の詳細を説明すると、以下のとおりである。なお、図２は、磁気治療器１０の側面図であり、図３は、図１の３−３線端面図である。図１〜図３では、粘着剤や剥離紙の図示を省略している。
【００１７】
磁気治療器１０は、貼着シート１１と遠赤外線放射材１２と永久磁石１３とから形成されている。貼着シート１１（絆創膏、パッチ、シール等の貼り付け部材）は、その平面形上が略円形に成形され、その直径が２０〜２５ｍｍの範囲にある。貼着シート１１には、肌色に着色された薄いポリウレタンフィルムが使用されている。ポリウレタンフィルムは、水蒸気に対する透過性を有する反面、液体や細菌を透過させない性質を有する。貼着シート１１の貼着面１４には、図示はしていないが、耐水性を有するアクリル系粘着剤が塗布されているとともに、その粘着剤を保護する剥離紙（遠赤外線放射材１２および永久磁石１３の貼着箇所を除いた箇所）が貼付されている。
【００１８】
遠赤外線放射材１２は、多孔質のセラミック成形物である。そのセラミック成形物は、堆積鉱物（天然鉱石）を微粉砕した微細な鉱物粉体にバインダー（ポリビニルアルコール５％を含む水溶液）を加え、その鉱物粉体を造粒加工して成形した後、成形された鉱物粉体を焼結することで作られている。成形加工時に加えたバインダーは、焼結によって焼失する。なお、遠赤外線放射材１２（セラミック成形物）の製造方法の一例としては、特開２００５−２７９２２に開示されている。遠赤外線放射材１２は、所定の厚みを有する略円盤状に成形され、平面形状が略円形の固定面１５と、平面形状が略円形の当接面１６と、それら面１５，１６の間に延びる周面１７とを有する。固定面１５は、貼着シート１１に塗布された粘着剤によってシート１１の貼着面１４に貼付されている。当接面１６は、その中心に向かうとともにその外側へ向かって凸となるように所定の曲率半径で湾曲している。遠赤外線放射材１２は、その最大厚み寸法が２．０〜４．０ｍｍの範囲、その直径が５．０〜６．５ｍｍの範囲にある。当接面１６の曲率半径は、Ｒ５〜Ｒ７の範囲にある。
【００１９】
遠赤外線放射材１２の原材料である鉱物粉体の成分は、二酸化ケイ素（ＳｉＯ２）、アルミナ（ＡＩ２Ｏ３）、酸化鉄（Ｆｅ２Ｏ３）、酸化カルシウム（ＣａＯ）、酸化マグネシウム（ＭｇＯ）、酸化ナトリウム（Ｎａ２Ｏ）、酸化カリウム（Ｋ２Ｏ）である。なお、遠赤外線放射材１２を１００重量％とした場合において、二酸化ケイ素（ＳｉＯ２）の割合が５０重量％以上であって６０重量％以下、アルミナ（ＡＩ２Ｏ３）の割合が２０重量％以上であって２５重量％以下、酸化鉄（Ｆｅ２Ｏ３）の割合が１０重量％以上であって１５重量％以下、酸化カルシウム（ＣａＯ）の割合が３重量％以上であって７重量％以下、酸化マグネシウム（ＭｇＯ）の割合が２重量％以上であって５重量％以下、酸化ナトリウム（Ｎａ２Ｏ）の割合が０．２重量％以上であって０．７重量％以下、酸化カリウム（Ｋ２Ｏ）の割合が０．１重量％以上であって０．３重量％以下である。
【００２０】
なお、遠赤外線放射材１２を１００重量％とした場合の、二酸化ケイ素（ＳｉＯ２）の好ましい割合は５６．４０重量％、アルミナ（ＡＩ２Ｏ３）の好ましい割合は２１．２０重量％、酸化鉄（Ｆｅ２Ｏ３）の好ましい割合は１２．６０重量％、酸化カルシウム（ＣａＯ）の好ましい割合は３．７８重量％、酸化マグネシウム（ＭｇＯ）の好ましい割合は２．８６重量％、酸化ナトリウム（Ｎａ２Ｏ）の好ましい割合は０．４２重量％、酸化カリウム（Ｋ２Ｏ）の好ましい割合は０．１７重量％である。
【００２１】
遠赤外線放射材１２は、その赤外線放射率が８〜１４μｍの波長範囲において９８％以上である。この遠赤外線放射材１２は、異なる振動波長域を有する既述の各種複数の金属酸化物や無機塩類、有機物を含有し、単一の成分のみから作られた場合と比較し、それらがそれぞれ波長の異なる赤外線を放射する。遠赤外線放射材が単一の成分のみから作られている場合、放射波長はその成分の固有振動による波長のみとなり、放射効率が低くなるが、この遠赤外線放射材１２は、それぞれ波長の異なる赤外線を放射する各種複数の成分を含有するから、単一の成分のみから作られた場合と比較し、高い赤外線放射効率を有する。
【００２２】
物質から放射される遠赤外線の波長分布は、その物質の組成や温度、分子構造によって決まるが、体温付近では、７〜１４μｍ、特に８〜１０μｍの遠赤外線が放射の主体となる。この波長域に同調する分子振動を有する代表的な物質として、二酸化ケイ素（シリカ）や酸化アルミニウム（アルミナ）、酸化鉄があり、それらを最適な範囲で含有する遠赤外線放射材１２は、人体の平均体温の波長と同一の波長域である８〜１４μｍの波長範囲において高い効率で赤外線を放射する。
【００２３】
物質の構造と遠赤外線の放射機能との関係は、結晶性が高いほど放射波長のピーク性が高まり、多孔質になるほどピーク幅が広がり、さらに、表面が平滑なほど放射の方位性が高まる。したがって、人体の平均体温の波長と同一の波長域である７〜１４μｍの波長範囲において高い放射率を有し、８〜１０μｍの波長範囲に最大放射ピークがあり、表面からあらゆる方向へ満遍なく遠赤外線を放射する材料として、二酸化ケイ素（シリカ）や酸化アルミニウム（アルミナ）、酸化鉄の適量を主成分として含有するとともに多孔質に成形（焼結）された遠赤外線放射材１２が最適である。
【００２４】
永久磁石１３は、略円柱状に成形され、固定部１８および露出部１９を有する。永久磁石１３には、フェライト磁石やネオジウム磁石、マンガンアルミ磁石を使用することができる。永久磁石１３の固定部１９は、遠赤外線放射材１２の当接面１６から固定面１５に向かって放射材１２の内部に埋め込まれ、放射材１２の中央部に固定されている。永久磁石１３の露出部１９は、遠赤外線放射材１２の当接面１６から外側に露出している。露出部１９の端面２０は、その中心に向かうとともにその外側へ向かって凸となるように所定の曲率半径で湾曲している。
【００２５】
露出部１９の端面２０の曲率半径は、遠赤外線放射材１２の当接面１６の曲率半径と同一であり、Ｒ５〜Ｒ７の範囲にある。また、露出部１９の端面２０が遠赤外線放射材１２の当接面１６に対して同一面上にあり、露出部１９の端面２０と放射材１２の当接面１６との間に段差がなく、端面２０と当接面１６とが略面一になっている。永久磁石１３では、その露出部１９がＮ極であり、露出部１９から発生する磁力線の磁束密度が４０〜８０ミリテスラの範囲にある。永久磁石１３は、その直径が２．０〜３．０ｍｍの範囲にあり、その厚み寸法が２．０〜３．５ｍｍの範囲にある。磁気治療器１０では、遠赤外線放射材１２の当接面１６と露出部１９の端面２０とからそれら面１６，２０の中心かつ外側へ向かう凸面が形成されている。
【００２６】
図４は、使用状態で示す磁気治療器１０の斜視図であり、図５は、図４の５−５線端面図である。図４では、磁気治療器１０が使用者の手の甲２１の所定の部位に貼付された状態で示す。磁気治療器１０を使用するには、貼着シート１１の貼着面１４から剥離紙を剥がし、治療器１０から剥離紙を分離した後、貼着シート１１の粘着面１４を使用者の身体の所定の部位における肌面２２に貼付する。
【００２７】
図５に示すように、貼着シート１１の貼着面１４を手の甲２１の肌面２２に貼付すると、粘着剤によって肌面２２に対する治療器１０の貼付状態が維持され、遠赤外線放射材１２の当接面１６が肌面２２に当接するとともに永久磁石１３の露出部１９の端面２０が肌面２２に当接する。
【００２８】
磁気治療器１０は、当接面１６が外側へ向かって凸となるように湾曲し、露出部１９の端面２０が外側へ向かって凸となるように湾曲しているから、磁気治療器１０を肌面２２に貼付し、当接面１６や露出部１９の端面２０が肌面２２に当接したときに、当接面１６や露出部１９の端面２０が肌面２２をわずかに押圧した状態で肌面２２に密着する。この状態で磁気治療器１０が使用者の肌面２２に貼り付けられ、使用者の体温によって治療器１０が次第に温められる。
【００２９】
磁気治療器１０では、永久磁石１３の露出部１９から磁力線が使用者の手の甲２１の肌面２２に発せられるとともに、遠赤外線放射材１２が使用者の手の甲２１の体温によって使用者（人体）の平均体温に温められた後、遠赤外線放射材１２に蓄えられた熱が遠赤外線として放射材１２から肌面２２に放射される。磁気治療器１０では、使用者の手の甲２１の貼付部位の近傍に永久磁石１３から磁力線が発せられるから、貼付部位の近傍の血行が促進され、部位のこりがほぐれるとともに、使用者の手の甲２１の貼付部位の近傍に遠赤外線放射材１２から遠赤外線が放射されるから、図４に示すように、貼付部位の近傍が温められる。なお、使用後の磁気治療器１０は、貼着シート１１の粘着力に抗してシート１１を肌面２２から剥がし取り、治療器１０の肌面２２に対する固定を解除する。
【００３０】
磁気治療器１０は、使用者の肌面２２に遠赤外線を放射する遠赤外線放射材１２と使用者の肌面２２に磁力線を発する永久磁石１３とを含み、永久磁石１３の露出部１９から発せられた磁力線の作用によって使用者の筋肉組織の血行を改善し、筋肉組織の緊張をといてこりをほぐす他、遠赤外線放射材１２が使用者の体温によって温められた後に蓄えた熱を遠赤外線として使用者の肌面２２に放射するから、遠赤外線が肌に対する温熱効果を発揮し、遠赤外線によって使用者の肌を温めることができる。
【００３１】
磁気治療器１０は、遠赤外線放射材１２の当接面１６が所定の曲率半径で湾曲し、永久磁石１３の露出部１９の端面２０が所定の曲率半径で湾曲しているから、それを使用者の肌面２２に貼着したときに、遠赤外線放射材１２の当接面１６と永久磁石１３の露出部１９の端面２０とが使用者の患部（つぼ）に対する指圧効果を発揮するとともに、永久磁石１３の露出部１９が遠赤外線放射材１２の当接面１６から露出し、露出部１９から使用者の肌面２２に磁力線が確実に発せられるから、その磁力線によって使用者の筋肉組織の血行が改善され、筋肉組織の緊張をといてこりをほぐすとともに疲労を低減し、患部（つぼ）にそれを貼着することによって患部のこりや疲労を治癒させることができる。
【００３２】
磁気治療器１０は、遠赤外線放射材１２の赤外線放射率が８〜１４μｍの波長範囲において９８％以上であり、使用者（人体）の平均体温の波長と同一の波長域において高い赤外線放射率を有するから、その遠赤外線が肌に対する温熱効果が確実に発揮され、さらに、永久磁石１３の露出部１９から発生する磁力線の磁束密度が４０〜８０ミリテスラの範囲にあるから、その磁束密度の磁力線によって使用者の筋肉組織の血行促進効果が確実に発揮される。
【００３３】
磁気治療器１０は、遠赤外線放射材１００重量％に対する二酸化ケイ素やアルミナ、酸化鉄、酸化カルシウム、酸化マグネシウム、酸化ナトリウム、酸化カリウムの割合が前記範囲にあり、それら各成分がそれぞれ波長が異なるとともに人体の平均体温の波長と同一の波長域の赤外線を放射するから、それらの成分から放射される赤外線が肌に対する温熱効果を確実に発揮し、遠赤外線によって使用者の肌を温めることができる。
【符号の説明】
【００３４】
１０    磁気治療器
１１    貼着シート
１２    遠赤外線放射材
１３    永久磁石
１４    貼着面
１５    固定面
１６    当接面
１７    周面
１８    固定部
１９    露出部
２０    端面
２２    肌面
【図１】
0003178605.tif 000003
【図２】
0003178605.tif 000004
【図３】
0003178605.tif 000005
【図４】
0003178605.tif 000006
【図５】
0003178605.tif 000007